【事件の表示】
　特願２０００−２２７７１３「遊技機」拒絶査定不服審判事件〔平成１４年　２月　５日出願公開、特開２００２−　３５２８６〕について、次のとおり審決する。
【結　論】
　本件審判の請求は、成り立たない。
【理　由】
１．手続の経緯
　本願は、平成１２年７月２７日の出願であって、平成１５年８月５日付けで拒絶査定がなされ、これに対し、平成１５年９月１８日に拒絶査定に対する審判請求がなされるとともに、同日付けで手続補正がなされたものである。
　　　　　　　　　　　　　　　　　　　　　　　　　　　　　　　　　
２．平成１５年９月１８日付けの手続補正（以下、「本件補正」という。）について
　　　　　　　　　　　　　　　　　　　　　　　　　　　　　　　　　
［
補正却下の決定の結論
　平成１５年９月１８日付けの手続補正を却下する。
　　　　　　　　　　　　　　　　　　　　　　　　　　　　　　　　　
　本件補正により、特許請求の範囲の請求項１は、
「遊技に必要な複数種類の第１図柄(43)〜(45)が表わされた複数個の回胴体(19)〜(21)と、該回胴体(19)〜(21)を別々に駆動する駆動手段(22)〜(24)と、前記回胴体(19)〜(21)の内部に配置され且つ前記第１図柄(43)〜(45)と同等の価値を持つ第２図柄(46)を変動表示可能な表示手段(25)とを備え、変動要求に基づいて前記回胴体(19)〜(21)を回動させて第１図柄(43)〜(45)を変動制御する第１図柄制御手段(63)と、所定遊技条件の成立に基づいて前記表示手段(25)の第２図柄(46)を変動制御する第２図柄制御手段(64)とを備え、前記表示手段(25)が内部に配置された前記回胴体(20)(21)の胴部(20c)(21c)は、その一部に前記表示手段(25)に対応可能に形成され且つ前記第２図柄(46)を透視できる視認部(20d)(21d)と、該視認部(20d)(21d)以外の遮蔽部(20e)(21e)とを備え、前記第１図柄(43)〜(45)の一部は、前記視認部(20d)(21d)に対応して表示され且つ前記第２図柄(46)を視認可能な透過図柄(44a)(45a)であり、前記表示手段(25)は、１コマに複数個の前記第２図柄(46)を停止表示してその複数個の第２図柄(46)によって複数種類の価値が生じるように構成し、前記表示手段(25)に第２図柄(46)が表示されていない場合に、透過図柄(44a)(45a)を含む第１図柄(44)(45)で図柄変動を行うようにしたことを特徴とする遊技機。」と補正された。
　　　　　　　　　　　　　　　　　　　　　　　　　　　　　　　　　
　上記補正は、請求項１に記載した発明を特定するために必要な事項である「第２図柄(46)」について「前記第１図柄(43)〜(45)と同等の価値を持つ第２図柄(46)」と限定し、「回胴体(19)〜(21)」について「前記表示手段(25)が内部に配置された前記回胴体(20)(21)の胴部(20c)(21c)は、その一部に前記表示手段(25)に対応可能に形成され且つ前記第２図柄(46)を透視できる視認部(20d)(21d)と、該視認部(20d)(21d)以外の遮蔽部(20e)(21e)とを備え、」と限定し、「前記第１図柄(43)〜(45)の少なくとも一部は」を「前記第１図柄(43)〜(45)の一部は」と限定し、「前記第２図柄(46)を視認可能な透過図柄(44a)(45a)」について「前記視認部(20d)(21d)に対応して表示され且つ前記第２図柄(46)を視認可能な透過図柄(44a)(45a)」と限定し、「図柄」の「変動」について「前記表示手段(25)に第２図柄(46)が表示されていない場合に、透過図柄(44a)(45a)を含む第１図柄(44)(45)で図柄変動を行うようにした」と、それぞれ限定するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１５年改正前の特許法第１７条の２第５項において準用する同法第１２６条第４項の規定に適合するか）について以下に検討する。
　　　　　　　　　　　　　　　　　　　　　　　　　　　　　　　　　
（１）引用発明
　原査定の拒絶の理由に引用された、本願の出願前に頒布された刊行物である、特開平８−２９４５６６号公報（以下、「引用例」という。）には「パチンコ機」において、以下の記載がある。
a．「第１〜第３リール１５〜１７は、それぞれ外リールと内リールとから構成されている。図３は第１リール１５についてその構造を図示したもので、外リール１５ａは透明な樹脂材からなるリール体２５の外周に、「１ＢＡＲ」，「３ＢＡＲ」，「スター」，「７」，「チェリー」等の複数のシンボルを配列して構成されている。内リール１５ｂは従来のリールと同様に、不透明なリール体２６の外周に複数のシンボルを配列している。
・・・
　前記ステッピングモータ３０ａ，３１ａ，３２ａの軸には、それぞれ第１〜第３リールの外リール１５ａ，１６ａ，１７ａが固定され、ステッピングモータ３０ｂ，３１ｂ，３２ｂには第１〜第３リールの内リール１５ｂ，１６ｂ，１７ｂが固定されている。・・・」（段落【００１４】【００１６】、図３）
b．「そして、パチンコ玉が始動口６に入ると、始動口６に設けられた始動スイッチ４２がパチンコ玉を検出してスタート信号発生部４３に入力する。スタート信号発生部４３は、始動スイッチ４２の動作を検出するとスタート信号をＭＰＵ４０に入力する。このスタート信号の入力によりＭＰＵ４０は全てのドライバ４５ａ〜４７ｂにクロックパルスを供給し、これにより各ドライバ４５ａ〜４７ｂからステッピングモータ３０ａ〜３２ｂに駆動パルスが供給される。
　駆動パルスの供給によりステッピングモータ３０ａ〜３２ｂが駆動されると、第１〜第３リール１５〜１７が一斉に回転を開始する。このとき、第１〜第３リール１５〜１７のそれぞれについて、外リール１５ａ〜１７ａは反時計方向に、内リール１５ｂ〜１７ｂは時計方向に回転される。
　したがってシンボル表示窓１２〜１４を通し、外リール１５ａ〜１７ａについてはシンボルが上から下向きに移動する状態で観察され、内リール１５ｂ〜１７ｂについては透明な外リール１５ａ〜１７ａを通してシンボルが下から上向きに移動する状態で観察され、斬新なゲーム感覚を与えることができる。・・・」（段落【００２６】−【００２８】）
c．「・・・第１〜第３リール１５〜１７の全てが停止表示されると、外リール１５ａ〜１７ａのシンボルと、内リール１５ｂ〜１７ｂのシンボルとが重なり合った状態で各シンボル表示窓１２〜１４から観察される。」（段落【００３１】）
d．「このように、リール１５〜１７の各々を、外リール１５ａ〜１７ａと内リール１５ｂ〜１７ｂの二重構成にすることにより、外リールの「ブランク」を通して内リールのシンボルが現れたり、また、外リールのシンボルと内リールのシンボルとを重ね合わせることによってシンボルの種類が変わったりするようになり、結果的にシンボルの種類を増やすことが可能となる。・・・」（段落【００３５】）
e．「前述した２つの実施例以外にも、例えば、図９に示すように、スロットリール装置の外リール１６１に、透明なシンボル１６２と、不透明なシンボル１６３を設け、透明なシンボル１６２が入賞ラインで停止したときには、内リール１６４のシンボル１６５が透明なシンボル１６２を通して観察できるようにし、また、不透明なシンボル１６３が入賞ラインで停止したときには、内リール１６４のシンボル１６５が観察できないようにすることもできる。そして、入賞ラインに不透明なシンボル１６３が停止したときには、内リール１６４のシンボルの如何に係わらずハズレとする等により、パチンコの興趣を一層盛り上げることもできる。」（段落【００６２】）
　　　　　　　　　　　　　　　　　　　　　　　　　　　　　　　　　
　上記の記載より、引用例（特開平８−２９４５６６号公報）には、「パチンコ機」において、以下の発明（以下、「引用発明」という。）が記載されていると認められる。
　「それぞれ外リールと内リールとから構成される第１〜第３リール１５〜１７を備え、第１リール１５は、透明な樹脂材からなるリール体２５の外周に、「１ＢＡＲ」，「３ＢＡＲ」，「スター」，「７」，「チェリー」等の複数のシンボルを配列して構成されている外リール１５ａと、従来のリールと同様に、不透明なリール体２６の外周に複数のシンボルを配列している内リール１５ｂとから成り、パチンコ玉が始動口６に入ると、始動口６に設けられた始動スイッチ４２がパチンコ玉を検出してスタート信号発生部４３に入力し、スタート信号発生部４３はスタート信号をＭＰＵ４０に入力することで、ＭＰＵ４０は全てのドライバ４５ａ〜４７ｂにクロックパルスを供給し、これにより各ドライバ４５ａ〜４７ｂからステッピングモータ３０ａ〜３２ｂに駆動パルスが供給され、第１〜第３リール１５〜１７が一斉に回転を開始し、第１〜第３リール１５〜１７のそれぞれについて、外リール１５ａ〜１７ａはステッピングモータ３０ａ〜３２ａにより反時計方向に、内リール１５ｂ〜１７ｂはステッピングモータ３０ｂ〜３２ｂにより時計方向に回転されて、シンボル表示窓１２〜１４を通し、外リール１５ａ〜１７ａについてはシンボルが上から下向きに移動する状態で観察され、内リール１５ｂ〜１７ｂについては透明な外リール１５ａ〜１７ａを通してシンボルが下から上向きに移動する状態で観察され、第１〜第３リール１５〜１７の全てが停止表示されると、外リール１５ａ〜１７ａのシンボルと、内リール１５ｂ〜１７ｂのシンボルとが重なり合った状態で各シンボル表示窓１２〜１４から観察され、リール１５〜１７の各々を、外リール１５ａ〜１７ａと内リール１５ｂ〜１７ｂの二重構成にすることにより、外リールの「ブランク」を通して内リールのシンボルが現れたり、また、外リールのシンボルと内リールのシンボルとを重ね合わせることによってシンボルの種類が変わったりするようになり、結果的にシンボルの種類を増やすことが可能となるもので、スロットリール装置の外リール１６１に、透明なシンボル１６２と、不透明なシンボル１６３を設け、透明なシンボル１６２が入賞ラインで停止したときには、内リール１６４のシンボル１６５が透明なシンボル１６２を通して観察できるようにし、また、不透明なシンボル１６３が入賞ラインで停止したときには、内リール１６４のシンボル１６５が観察できないようにすることもできる、パチンコ機。」
　　　　　　　　　　　　　　　　　　　　　　　　　　　　　　　　　
（２）対比 　 　 
　本願補正発明と引用発明とを対比すると、引用発明における「外リール」は本願補正発明における「回胴体」に対応しており、同様に、「（外リールの）シンボル」は「第１図柄」に、「（内リールの）シンボル」は「第２図柄」に、それぞれ対応しており、さらに引用発明について次のことがいえる。
(i) 引用発明は、「外リールと内リールとから構成される第１〜第３リール１５〜１７」を備え、「外リール」は「透明な樹脂材からなるリール体２５の外周に、「１ＢＡＲ」，「３ＢＡＲ」，「スター」，「７」，「チェリー」等の複数のシンボルを配列して構成され」（摘示a．）ており、上記した、「外リール」（本願補正発明における「回胴体」に対応する。）に「配列」された「複数」の「シンボル」（本願補正発明における「第１図柄」に対応する。）は、その機能に照らすと、本願補正発明における「遊技に必要な複数種類の第１図柄」に対応するものである。
　そうすると、同引用発明は、本願補正発明を特定する「遊技に必要な複数種類の第１図柄が表わされた複数個の回胴体」の事項に対応する構成を備えているということができる。
                                                 　　　　　　　　　
(ii) 引用発明は、「スタート信号」が「ＭＰＵ４０に入力」されると「全てのドライバ４５ａ〜４７ｂ」から「ステッピングモータ３０ａ〜３２ｂに駆動パルスが供給され、第１〜第３リール１５〜１７が一斉に回転を開始」し、「外リール１５ａ〜１７ａ」（「回胴体(19)〜(21)」）は「ステッピングモータ３０ａ〜３２ａ」（本願補正発明における「駆動手段(22)〜(24)」に対応する。）により別々に駆動されるものであるから、同引用発明は、本願補正発明を特定する「回胴体を別々に駆動する駆動手段」の事項に対応する構成を備えているということができる。
　　　　　　　　　　　　　　　　　　　　　　　　　　　　　　　　　
(iii) 引用発明は、「外リールと内リールとから構成される第１〜第３リール１５〜１７」を備え、「外リール」（「回胴体」）の内部に配置される「内リール」は、引用例の図３及び図５を参照すると、「スター」，「７」，「チェリー」等の、「外リール」（「回胴体」）の「シンボル」（「第１図柄(43)〜(45)」）と共通するシンボルを備えており、「内リール」が備えるこれらのシンボル（本願補正発明における「第２図柄(46)」に対応する。）は、「外リール」（「回胴体」）の「シンボル」（「第１図柄」）と同等の価値を持つものであり、「内リール」の「回転」とともに変動表示可能とされている。
　以上の事項より、引用発明における「内リール」は、「外リール」（「回胴体」）の内部に配置され且つ「外リール」（「回胴体」）の「シンボル」（「第１図柄」）と同等の価値を持つ「シンボル」（第２図柄）を変動表示可能とされており、本願補正発明における「表示手段(25)」に対応するものである。
　そうすると、同引用発明は、本願補正発明を特定する「回胴体の内部に配置され且つ前記第１図柄と同等の価値を持つ第２図柄を変動表示可能な表示手段とを備え」の事項に対応する構成を備えているということができる。
　　　　　　　　　　　　　　　　　　　　　　　　　　　　　　　　　
(iv) 引用発明は、「パチンコ玉が始動口６に入る」ことで「スタート信号」が「入力」されると、「第１〜第３リール１５〜１７が一斉に回転を開始」（摘示b．）し、「外リール」（「回胴体」）は「反時計方向」に「回転」され、「シンボル」（「第１図柄」）が「上から下向きに移動する」ことで「変動」するものである。
　そして、上記「スタート信号」は、その機能に照らすと本願補正発明を特定する「変動要求」に対応するものといえるとともに、引用発明は実質上、「変動」を制御する制御手段（本願補正発明における「第１図柄制御手段(63)」に対応する制御手段。）を備えているといえる。
　そうすると、同引用発明は、本願補正発明を特定する「変動要求に基づいて前記回胴体を回動させて第１図柄を変動制御する第１図柄制御手段」の事項に対応する構成を備えているということができる。
                                               　　　　　　　　　　
(v) 上記(iii)に記載したように、引用発明における「内リール」は、本願補正発明を特定する「表示手段」に対応している。
　そして、「パチンコ玉が始動口６に入る」ことで「スタート信号」が「入力」されると、「第１〜第３リール１５〜１７が一斉に回転を開始」（摘示b．）し、「内リール」（「表示手段」）は「時計方向」に「回転」され、「シンボル」（「第２図柄」）が「下から上向きに移動する」ことで「変動」するものであり、上記「始動口６」への入賞はその機能に照らすと、本願補正発明における「所定遊技条件の成立」に包含されるといえるとともに、引用発明は実質上、「変動」を制御する制御手段（本願補正発明における「第２図柄制御手段(64)」に対応する制御手段。）を備えているといえる。
　そうすると、同引用発明は、本願補正発明を特定する「所定遊技条件の成立に基づいて前記表示手段の第２図柄を変動制御する第２図柄制御手段」の事項に対応する構成を備えているということができる。
                                          　　　　　　　　　　　   
(vi) 引用発明は、「透明な樹脂材からなるリール体２５の外周」に「複数のシンボルを配列して構成」（摘示a．）しており、上記「リール体２５」の「外周」（本願補正発明における「胴部」に対応する。）は、「内リール」（「表示手段」）に対応可能に形成され且つ「内リール」の「シンボル」（「第２図柄」）を透視可能とされているので、同引用発明は、本願補正発明における「視認部(20d)(21d)」に対応する構成を実質的に備えているといえる。
　さらに引用発明は、「外リール１６１に、透明なシンボル１６２と、不透明なシンボル１６３を設け、透明なシンボル１６２が入賞ラインで停止したときには、内リール１６４のシンボル１６５が透明なシンボル１６２を通して観察できるようにし、また、不透明なシンボル１６３が入賞ラインで停止したときには、内リール１６４のシンボル１６５が観察できないようにすることもできる」（摘示e．）ものであり、上記「不透明なシンボル１６３」は、本願補正発明における「遮蔽部(20e)」に対応する部分であるといえるとともに、上記「透明なシンボル１６２」は本願補正発明における「透過図柄(44a)(45a)」に対応する「シンボル」（「第１図柄」）であり、上記「不透明なシンボル１６３」（「遮蔽部(20e)」）は上記「リール体２５」の「外周」（「胴部」）において透視可能な部分（「視認部(20d)(21d)」）以外の部分であるといえる。
　そうすると、同引用発明は、本願補正発明を特定する「前記表示手段が内部に配置された前記回胴体の胴部は、その一部に前記表示手段に対応可能に形成され且つ前記第２図柄を透視できる視認部と、該視認部以外の遮蔽部とを備え、前記第１図柄の一部は、前記視認部に対応して表示され且つ前記第２図柄を視認可能な透過図柄であり」の事項に対応する構成を備えているということができる。
　なお、審判請求人はその審判請求書において、「引用文献３ないし７（注）に記載の第１図柄は、視認部である胴部に表示したものであって、透過図柄か否か不明である」（審判請求書４頁１７−１８行）旨を主張しているが、上記したように引用例は「外リール１６１に、透明なシンボル１６２」を「設け」ることを開示しており、また引用発明が「シンボル」を「重ね合わせ」るように構成されていることの技術的意義からしても、「重ね合わせ」た各「シンボル」の種類は遊技者に認識可能とされていることは明らかであり、審判請求人の上記主張には理由がない。
（注）当引用例（特開平８−２９４５６６号公報）は、原審において「引用文献４」として引用されている。
　　　　　　　　　　　　　　　　　　　　　　　　　　　　　　　　　
(vii) 引用発明は、「外リールのシンボルと内リールのシンボルとを重ね合わせることによってシンボルの種類が変わ」（摘示d．）るよう構成されており、複数の「シンボル」を「重ね合わせ」て停止表示することで、１コマに複数個の図柄を表示するものであり、停止表示される図柄を「１コマに複数個の図柄が表示された図柄」ということができ、同引用発明は、「停止表示される図柄は１コマに複数個の図柄が表示された図柄を含」むものであるということができる。
　これに対して本願補正発明は、「前記表示手段(25)は、１コマに複数個の前記第２図柄(46)を停止表示してその複数個の第２図柄(46)によって複数種類の価値が生じるように構成し」たものであり、停止表示される図柄を「１コマに複数個の図柄が表示された図柄」と包括的に表現することができるから、本願補正発明と引用発明とは、「停止表示される図柄は１コマに複数個の図柄が表示された図柄を含」む点で共通しているということができる。
　　　　　　　　　　　　　　　　　　　　　　　　　　　　　　　　　
(viii)  引用例の図５を参照すると、リールが停止し、「第１リール１５」について、例えば「入賞ライン１８ｂ」上に「外リール１５ａ」の「チェリー」の「シンボル」が表示され、「内リール１５ｂ」には「シンボル」が表示されていないため、「外リール１５ａ」に表示されている上記「チェリー」の「シンボル」が停止図柄とされることが見てとれる。すなわち、引用発明は、「内リール」（「表示手段」）に「シンボル」（「第２図柄」）が表示されていない場合に、「外リール」の「シンボル」（「第１図柄」）で図柄変動を行うものであり、また、上記(vii)に記載したように「外リール」の「シンボル」（「第１図柄」）に「透明なシンボル１６２」（本願補正発明における「透過図柄(44a)(45a)」に対応する。）を含ませることが可能なものである。
　そうすると、同引用発明は、本願補正発明を特定する「表示手段に第２図柄が表示されていない場合に、透過図柄を含む第１図柄で図柄変動を行う」に対応する構成を備えているということができる。
　　　　　　　　　　　　　　　　　　　　　　　　　　　　　　　　　
　以上の事項より、本願補正発明と引用発明とは以下の点で一致し、また、相違していると認められる。
一致点；
　遊技に必要な複数種類の第１図柄が表わされた複数個の回胴体と、該回胴体を別々に駆動する駆動手段と、前記回胴体の内部に配置され且つ前記第１図柄と同等の価値を持つ第２図柄を変動表示可能な表示手段とを備え、変動要求に基づいて前記回胴体を回動させて第１図柄を変動制御する第１図柄制御手段と、所定遊技条件の成立に基づいて前記表示手段の第２図柄を変動制御する第２図柄制御手段とを備え、前記表示手段が内部に配置された前記回胴体の胴部は、その一部に前記表示手段に対応可能に形成され且つ前記第２図柄を透視できる視認部と、該視認部以外の遮蔽部とを備え、前記第１図柄の一部は、前記視認部に対応して表示され且つ前記第２図柄を視認可能な透過図柄であり、停止表示される図柄は１コマに複数個の図柄が表示された図柄を含み、前記表示手段に第２図柄が表示されていない場合に、透過図柄を含む第１図柄で図柄変動を行うようにした遊技機、である点。
　　　　　　　　　　　　　　　　　　　　　　　　　　　　　　　　　
相違点；
　１コマに複数個の図柄が表示された停止表示図柄が、本願補正発明では、表示手段は、１コマに複数個の第２図柄を停止表示してその複数個の第２図柄によって複数種類の価値が生じるように構成した図柄であるのに対して、引用発明では、外リールのシンボルと内リールのシンボルとが重ね合わさって、１コマに複数個の図柄が表示された図柄であり、重ね合わせることによってシンボルの種類が変わるように構成したものである点。
　　　　　　　　　　　　　　　　　　　　　　　　　　　　　　　　　
（３）判断
　上記の相違点について検討する。
　１コマに複数個の図柄を表示し、該図柄を停止表示してその複数個の図柄によって複数種類の価値が生じるように構成した図柄は、例えば下記の周知例１ないし３に示されるようによく知られており、特に周知例１として例示した図柄は１コマに２個の図柄を重ね合わせて表示し、該図柄を停止表示してその２個の図柄によって２種類の価値が生じるように構成した「重複図柄」として知られている。（「重複図柄」については、他にも特開平７−１９４８０９号公報（段落【００７８】）、特開平７−２５５９１８号公報（段落【００８０】）、特開平１１−１９７３１９号公報（段落【００７６】）などがあげられる。）
　そうすると、下記の周知技術を参酌し、引用発明における「外リール」の「シンボル」と「内リール」の「シンボル」とが重ね合わさって、１コマに２個（複数個）の図柄が表示された停止表示図柄を、一体的な「重複図柄」として「内リール」または「外リール」の「シンボル」に含ませるとともに、該図柄を停止表示してその２個（複数個）の図柄によって２種類（複数種類）の価値が生じるように構成することは、遊技機の設計に際して当業者が適宜に行うことであるとともに、上記した図柄を、「内リール」または「外リール」のうち、特に「内リール」（本願補正発明を特定する「表示手段」に対応する。）の「シンボル」（本願補正発明を特定する「第２図柄」に対応する。）に含ませることも格別困難なことではない。
　そして、上記の相違点に係る構成を発明特定事項として備えた本願補正発明の効果も、引用発明及び周知技術から当業者が容易に予測し得る範囲内のものであって、格別顕著なものとはいえない。
　したがって、本願補正発明は、引用発明及び周知技術に基いて、当業者が容易に発明をすることができたものであるから、特許出願の際独立して特許を受けることができない。
 　　　　　　　　　　　　　　　　　　　　　　　　　　　　　　　　　
【周知例】
１．特開平７−１９４８０９号公報　　　　　　　　　　　　　　　　　　　当り図柄のうち「７・ＪＡＣ」，「ベル・ＢＡＲ」，および「チェリー・星」の「重複図柄」は、１個の図柄に２種類分の図柄と同様の価値を付与したものであり、たとえば、「７・ＪＡＣ」には、「７」と「ＪＡＣ」との２種類の図柄の価値が付与され、同様に、「ベル・ＢＡＲ」には、「ベル」と「ＢＡＲ」との２種類の図柄の価値が付与され、「チェリー・星」には、「星」と「チェリー」との２種類の図柄の価値が付与されている、遊技機。（段落【００７７】【００７８】、図８）
　　　　　　　　　　　　　　　　　　　　　　　　　　　　　　　　　
２．特開平９−２５３２８８号公報　　　　　　　　　　　　　　　　　　　特別図柄表示器Ｌは特別図柄表示部Ｌ１〜Ｌ３に区分表示可能とし（図２（Ａ））、第１グループである特別図柄表示部Ｌ１、Ｌ２には、図２（Ｂ）に示すように、図柄「１、２、３、Ａ、４、５、Ｚ、６、７、Ｃ」をこの順序で変動表示し、第２グループである特別図柄表示部Ｌ３には、図柄「１、２、３Ａ、４、５Ｚ、６、７Ｃ」を変動表示し、非特定図柄である、「１」、「２」、「A」、「４」、「Z」、「６」、「C」より成る「１、１、１」「２、２、２」「Ａ、３Ａ、Ａ」「４、４、４」「Ｚ、５Ｚ、Ｚ」「６、６、６」「Ｃ、７Ｃ、Ｃ」（７通り）の図柄組み合わせは非特定図柄の組み合わせであり、特定図柄である、「３」、「５」「７」より成る「３、３Ａ、３」「５、５Ｚ、５」「７、７Ｃ、７」（３通り）の図柄組み合わせは特定図柄の組み合わせとし、図柄「３Ａ」、「５Ｚ」、「７Ｃ」は、非特定図柄の組み合わせと特定図柄の組み合わせの両方を構成可能とした遊技機。（段落【０００９】【００１４】、図２、図６）
　　　　　　　　　　　　　　　　　　　　　　　　　　　　　　　　　
３．特開平２０００−１５７６７９号公報　　　　　　　　　　　　　　　　複数種類の識別情報を可変表示可能な可変表示装置を有し、該識別情報には複数の識別情報分の識別機能を担保したグルーピング識別情報を含み、該グルーピング識別情報とは、例えば、０〜９までの図柄（複数の識別情報）がある場合に、そのうちの「８、９、０」を１つのグルーピング図柄としてグループ化した図柄配列のパターンにおいては、「８」、「９」、「０」という３つの図柄がグループ化されて「８、９、０」という１つのグルーピング図柄にまとめられており、この１つのグルーピング図柄により「８」、「９」、「０」という３種類の図柄の識別機能を担保している、遊技機。（特許請求の範囲、段落【００５０】【００５１】、図９）
　　　　　　　　　　　　　　　　　　　　　　　　　　　　　　　　　
（４）むすび
　以上のとおり、本件補正は、平成１５年改正前の特許法第１７条の２第５項において準用する同法第１２６条第４項の規定に違反するものであり、特許法第１５９条第１項の規定において読み替えて準用する特許法第５３条第１項の規定により却下されるべきものである。
　　　　　　　　　　　　　　　　　　　　　　　　　　　　　　　　　
３．本願発明について
　平成１５年９月１８日付けの手続補正は上記のとおり却下されたので、本願の請求項１に係る発明（以下、「本願発明」という。）は、平成１５年２月７日付け手続補正書の特許請求の範囲の請求項１に記載された事項により特定される、以下のとおりのものである。
「遊技に必要な複数種類の第１図柄(43)〜(45)が表わされた複数個の回胴体(19)〜(21)と、該回胴体(19)〜(21)を別々に駆動する駆動手段(22)〜(24)と、前記回胴体(19)〜(21)の内部に配置され且つ第２図柄(46)を変動表示可能な表示手段(25)とを備え、変動要求に基づいて前記回胴体(19)〜(21)を回動させて第１図柄(43)〜(45)を変動制御する第１図柄制御手段(63)と、所定遊技条件の成立に基づいて前記表示手段(25)の第２図柄(46)を変動制御する第２図柄制御手段(64)とを備え、前記第１図柄(43)〜(45)の少なくとも一部は、前記第２図柄(46)を視認可能な透過図柄(44a)(45a)であり、前記表示手段(25)は、１コマに複数個の前記第２図柄(46)を停止表示してその複数個の第２図柄(46)によって複数種類の価値が生じるように構成したことを特徴とする遊技機。」
　　　　　　　　　　　　　　　　　　　　　　　　　　　　　　　　　
（１）引用例
　原査定の拒絶の理由に引用された引用例及びその記載事項は、前記「２．（１）」に記載したとおりである。
　　　　　　　　　　　　　　　　　　　　　　　　　　　　　　　　　
（２）対比・判断
　本願発明は、前記２．で検討した本願補正発明における「前記第１図柄(43)〜(45)と同等の価値を持つ第２図柄(46)」を、より広義な概念である「第２図柄(46)」とし、本願補正発明から「前記表示手段(25)が内部に配置された前記回胴体(20)(21)の胴部(20c)(21c)は、その一部に前記表示手段(25)に対応可能に形成され且つ前記第２図柄(46)を透視できる視認部(20d)(21d)と、該視認部(20d)(21d)以外の遮蔽部(20e)(21e)とを備え、」の限定事項を省き、本願補正発明における「前記第１図柄(43)〜(45)の一部は」を、より広義な概念である「前記第１図柄(43)〜(45)の少なくとも一部は」とし、本願補正発明から「前記視認部(20d)(21d)に対応して表示され且つ」の限定事項を省き、本願補正発明から「前記表示手段(25)に第２図柄(46)が表示されていない場合に、透過図柄(44a)(45a)を含む第１図柄(44)(45)で図柄変動を行うようにし」の限定事項を省いたものである。
　そうすると、本願発明の発明特定事項を全て含み、さらに他の事項を付加したものに相当する本願補正発明が、前記「２．（３）」に記載したとおり、引用発明及び周知技術（周知例１ないし３）に基づいて、当業者が容易に発明をすることができたものであるから、本願発明も、同様の理由により、引用発明及び周知技術（周知例１ないし３）に基いて当業者が容易に発明をすることができたものである。
　　　　　　　　　　　　　　　　　　　　　　　　　　　　　　　　　
（３）むすび
　以上のとおり、本願発明は、引用発明及び周知技術に基づいて、当業者が容易に発明をすることができたものであるから、特許法第２９条第２項の規定により特許を受けることができない。
　よって、本願の他の請求項について論じるまでもなく、結論のとおり審決する。